(57)【特許請求の範囲】
【請求項１】
気化器本体を貫通する吸気路を開閉する摺動絞り弁を、リンク機構を介して開閉するリンク式摺動絞り弁型気化器において、
摺動絞り弁４の内底部４Ａ上に、リンクピン挿入孔５Ｂが水平方向Ｘ−Ｘに穿設されたバルブプレート５をネジ部材を介して螺着固定するとともにリンク機構Ｒのリンクアーム６に穿設される連結孔６Ｃ，６Ｄ内に、前記リンクピン挿入孔５Ｂ内に挿入配置されるリンクピンＰを挿入することによって摺動絞り弁４とリンク機構Ｒとを回転自在に連結し、
前記リンクピンの水平方向Ｘ−Ｘの移動を、前記ネジ部材にて規制したことを特徴とするリンク式摺動絞り弁型気化器。
【発明の詳細な説明】
【０００１】
【産業上の利用分野】
本発明は、機関へ供給する混合気の量及び濃度を調整、制御する気化器に関し、そのうち特に吸気路を開閉する摺動絞り弁がリンク機構を介して操作されるリンク式摺動絞り弁型気化器に関する。
【０００２】
【従来の技術】
従来のリンク式摺動絞り弁型気化器の第１例は図３に示される。
摺動絞り弁２０の内底部２０Ａ上にはバルブプレート２１がネジ部材２２にて螺着されて固定される。
又、バルブプレート２１には上方に向かって突出するピン挿入突部２１Ａが設けられ、このピン挿入突部２１Ａには両外側面２１Ｂ，２１Ｃに向かって開口する水平方向のリンクピン挿入孔２１Ｄが貫通して穿設される。
２３はリンク機構Ｒの一部をなすリンクアームであり、二又状をなしてピン挿入突部２１Ａの両外側面２１Ｂ，２１Ｃに臨み、更に連結孔２３Ａ，２３Ｂが穿設される。
そしてバルブプレート２１とリンクアーム２３とはリンクピンＰを介して回転自在に連結される。
すなわち、リンクピンＰは、リンクピン挿入孔２１Ｄ内に挿入配置されるとともに両外側面２１Ｂ，２１Ｃより更に側方へ突出し、このリンクピンＰの一端にリンクアーム２３の一方の連結孔２３Ａが挿入され、さらにリンクピンＰの他端にリンクアーム２３の他方の連結孔２３Ｂが挿入される。
そして、前記連結ピンがリンクピン挿入孔２１Ｄ及び連結孔２３Ａ，２３Ｂより脱出しないよう以下のようにリンクピンＰの水平方向の移動が規制される。
すなわち、リンクピンＰの一端に係止鍔部Ｐａが形成され、リンクピンＰの他端には平丸ワッシャー２４を介してＥクリップ２５が嵌着される。
以上によると、リンクピンＰの水平方向の移動が係止鍔部Ｐａ及びＥクリップ２５にて規制される。
【０００３】
第２の従来例は図４に示される。
図３に示される第１の従来例とは、Ｅクリップ２５に代えてリンクピンＰの他端をカシメＫたことである。
【０００４】
【発明が解決しようとする課題】
第１の従来例によると、平丸ワッシャー２４、Ｅクリップ２５の部品を必要として部品点数が増加する。
リンクピンＰには係止鍔部Ｐａ、Ｅクリップ２５を脱着する為の嵌合溝を形成する必要があり、加工工数が増加する。
リンクピンＰに対して、平丸ワッシャー２４及びＥクリップ２５を装着する必要があって組付け工数が増加する。
以上の点よりその製造コストを効果的に低減できない。
【０００５】
又、第２の従来例にあっても前記第１の従来例と同様に、部品点数、加工工数、組付け工数、の削減が困難であって製造コストの低減を達成できない。
【０００６】
本発明は前記不具合に鑑み成されたもので、部品点数、加工工数、組付け工数を削減できて安価なリンク式摺動絞り弁型気化器を提供することを目的とする。
【０００７】
【課題を達成する為の手段】
本発明になるリンク式摺動絞り弁型気化器は、前記課題を達成する為に、気化器本体を貫通する吸気路を開閉する摺動絞り弁を、リンク機構を介して開閉するリンク式摺動絞り弁型気化器において、
摺動絞り弁の内底部上に、リンクピン挿入孔が水平方向に穿設されたバルブプレートをネジ部材を介して螺着固定するとともにリンク機構のリンクアームに穿設される連結孔内に、前記リンクピン挿入孔内に挿入配置されるリンクピンを挿入することによって摺動絞り弁とリンク機構とを回転自在に連結し、
前記リンクピンの水平方向の移動を、前記ネジ部材にて規制したことを特徴とする。
【０００８】
【作用】
リンクピンの水平方向の移動は、ネジ部材にリンクピンの端部が当接することによって規制される。
【０００９】
【実施例】
以下、本発明になるリンク式摺動絞り弁型気化器の一実施例について図１，図２により説明する。
１は内部を吸気路２が貫通する気化器本体であって、吸気路２の中間部より上方に向かって絞り弁案内筒３が連接される。
４は絞り弁案内筒３内に摺動自在に配置され、吸気路２の開口面積を制御する摺動絞り弁である。
５は摺動絞り弁４の内底部４Ａ上に、２個のネジ部材９Ａ，９Ｂによって螺着されて固定されるバルブプレートであり、このバルブプレート５には上方に向かってピン挿入突部５Ａが突出し、このピン挿入突部５Ａには水平方向にリンクピン挿入孔５Ｂが貫通して穿設される。
すなわち、リンクピン挿入孔５Ｂはピン挿入突部５Ａの一方の外側面５Ｃ及び他方の外側面５Ｄに開口する。
【００１０】
Ｒはリンク機構であって、操作軸８に固着されるリンクレバー７とリンクレバー７に回転自在に連結されるリンクアーム６とによって形成される。
リンクアーム６の下方は二又状をなし、一方のリンクアーム６Ａ及び他方のリンクアーム６Ｂにはリンクピンを挿入する為の連結孔６Ｃ，６Ｄが貫通して穿設される。
【００１１】
そして、摺動絞り弁４とリンク機構Ｒとは以下によって組付けられる。
第１にバルブプレート５とリンクアーム６とが連結される。
バルブプレート５のピン挿入突部５Ａの一方の外側面５Ｃに一方のリンクアーム６Ａを対向配置し、他方の外側面５Ｄに他方のリンクアーム６Ｂを対向配置するとともにリンクアーム６の連結孔６Ｃ，６Ｄをバルブプレート５のリンクピン挿入孔５Ｂに臨んで配置し、かかる状態において、リンクピンＰを連結孔６Ｃ、リンクピン挿入孔５Ｂ、連結孔６Ｄ内に挿入配置する。
以上によると、リンクアーム６とバルブプレート５とはリンクピンＰを介して回転自在に連結される。
【００１２】
第２にリンクアーム６に連結されたバルブプレート５を、２個のネジ部材９Ａ，９Ｂを介して摺動絞り弁４の内底部４Ａに固着するもので、これによって摺動絞り弁４とリンク機構Ｒとが回転自在に連結される。
ここで特に注目すべきことは、一方のネジ部材９Ａの頭部をリンクピンＰの一端Ｐａに対して水平方向Ｘ−Ｘに間隙Ｓ１をもって対向配置したことであり、又他方のネジ部材９Ｂの頭部をリンクピンＰの他端Ｐｂに対して水平方向Ｘ−Ｘに間隙Ｓ２をもって対向配置したことである。
前記間隙Ｓ１は、図２において、リンクピンＰの一端Ｐａがネジ部材９Ａの頭部に当接するようもっとも右方へ移動した際にあってもリンクピンＰの他端Ｐｂが他方のリンクアーム６Ｂの連結孔６Ｄ内に配置される間隙である。
又、前記間隙Ｓ２は、図２において、リンクピンＰの他端Ｐａがネジ部材９Ｂの頭部に当接するようもっとも左方へ移動した際にあってもリンクピンＰの他端Ｐｂが一方のリンクアーム６Ａの連結孔６Ｃ内に配置される間隙である。
【００１３】
以上によれば、機関の運転時において、リンク機構Ｒが回転操作されて摺動絞り弁４が吸気路２を開閉制御する際において、リンクピンＰの水平方向Ｘ−Ｘの移動は２個のネジ部材９Ａ，９Ｂによって規制されるので摺動絞り弁４を含むバルブプレート５とリンクアーム６とが確実に回転、連結されるもので気化器の絞り弁制御を確実に行なうことができる。
【００１４】
そして、本発明によれば、リンク機構Ｒと摺動絞り弁４との回転、連結手段として従来用いられる部品（リンクレバー６、リンクピンＰ、バルブプレート５、ネジ部材９）のみによって行なわれるので部品点数が増加することがない。
又、その組付けもリンクレバー６とバルブプレート５をリンクピンＰにて連結し、バルブプレート５を摺動絞り弁４にネジ部材９を介して螺着、固定すればよいのでその工数を増加することがない。
更にリンクピンＰは、係止鍔部、Ｅクリップ溝、等の加工が不要なもので単なる線材を使用することができ、リンクピンＰの部品コストを低減できる。
【００１５】
【発明の効果】
以上の如く、本発明になるリンク式摺動絞り弁型気化器によると、摺動絞り弁の内底部上に、リンクピン挿入孔が水平方向に穿設されたバルブプレートをネジ部材を介して螺着固定するとともにリンク機構のリンクアームに穿設される連結孔内に、前記リンクピン挿入孔内に挿入配置されるリンクピンを挿入することによって摺動絞り弁とリンク機構とを回転自在に連結し、
前記リンクピンの水平方向の移動を、前記ネジ部材にて規制したので、部品点数、加工工数、組付け工数、の削減ができ、その製造コストを効果的に低減できたものである。
【図面の簡単な説明】
【図１】本発明になるリンク式摺動絞り弁型気化器の縦断面図。
【図２】図１のＹ−Ｙ線における要部拡大断面図。
【図３】従来のリンクレバーと摺動絞り弁との連結部を示す要部断面図。
【図４】従来のリンクレバーと摺動絞り弁との連結部の他の例を示す要部断面図。
【符号の説明】
４            摺動絞り弁
４Ａ          内底部
５            バルブプレート
５Ｂ          リンクピン挿入孔
６            リンクアーム
６Ｃ，６Ｄ    連結孔
Ｐ            リンクピン
Ｒ            リンク機構
９Ａ，９Ｂ    ネジ部材
【図１】
0003815065.tif 000002
【図２】
0003815065.tif 000003
【図３】
0003815065.tif 000004
【図４】
0003815065.tif 000005